(57)【要約】【課題】非常時に容易に開扉できる一方、収納物の盗難や悪戯を抑制し、かつ、管理担当者等が収納物の点検や補充を自由にすることができる非常用品収納箱を提供する。【解決手段】非常用品を収納するための箱であって、ロック部材５２およびロック解除部材５０を有したロック機構５を扉４の裏面に設け、ロック解除部材５０を脆弱部材９を介して外部から直接操作して開扉できるようにする一方、ロック部材５２およびロック解除部材５０をリンク機構６によって錠７と接続し、錠７に差し込んだ鍵を旋回させることにより、外部からのロック解除部材５０の直接操作によらずとも、ロック部材５２およびロック解除部材５０を作動させて開扉・閉扉することができるようにした。【選択図】図３
2007137503.tif 000002
【特許請求の範囲】
【請求項１】
非常用品を収納するための箱であって、
前面に開口を有した箱体と、
前記箱体にヒンジを介して取り付けられ、前記開口を開閉自在な扉と、
前記扉の裏面に設けられており、閉扉状態において前記箱体に設けられた固定片に係合するロック位置および係合しないロック解除位置の間を移動可能なロック部材と、閉扉状態において外部から脆弱部材を介して操作可能であって当該ロック部材を当該ロック位置から当該ロック解除位置まで移動させ得るロック解除部材とを有したロック機構と、
前記ロック解除部材に接続されていると共に前記ロック解除部材を作動可能な第１のリンク腕と、当該第１のリンク腕に連結されていると共に前記ロック部材を前記ロック解除位置から前記ロック位置まで移動させ得る第２のリンク腕とからなるリンク機構と、
前記第２のリンク腕と接続されており、差し込まれた鍵の旋回に基づいて前記リンク機構を作動可能な錠と、
を含んだことを特徴とする非常用品収納箱。
【請求項２】
ファイル形の収容部材に収められた非常用品をその収納スペースに備えたことを特徴とする請求項１に記載の非常用品収納箱。
【請求項３】
前記非常用品の手前側に、当該非常用品を使用するにあたっての諸注意が記載されたシートを設けたことを特徴とする請求項２に記載の非常用品収納箱。
【請求項４】
前記箱体と前記扉との間に、弾性部材の復元力を利用して前記扉を略閉扉状態まで閉扉させる自動閉扉装置を設けたことを特徴とする請求項１〜３のいずれか１項に記載の非常用品収納箱。
【発明の詳細な説明】
【技術分野】
【０００１】
本発明は、救命具や応急手当品等の非常用品を収納するための非常用品収納箱に関する
【背景技術】
【０００２】
従来、事故や自然災害等の非常時に備え、救命具や応急手当品等を収納し保管するための箱が種々存在する。
【０００３】
これらの収納箱は、非常時に素早く救命具や応急手当品を取り出せることが重要であるため、取り出し易さに配慮したものがいくつか提案されている（例えば、特許文献１）。
【特許文献１】特開２０００−１７６０３５号公報
【発明の開示】
【発明が解決しようとする課題】
【０００４】
しかしながら、上記のような収納箱は収納物を取り出し易い反面、収納物を盗まれたり悪戯されたりするおそれがあった。そこで、箱や扉自体を破断することで収納物を取り出すような構成も考えられるが、その場合、収納物の点検や補充等の際にも破断しなければならず、不便である。
【０００５】
本発明は上記事情に鑑みてなされたものであり、その目的とするところは、非常時に容易に開扉できて非常時の対処をスムーズに行える一方、収納物の盗難や悪戯を抑制し、かつ、管理担当者等が収納物の点検や補充等を自由にすることができる非常用品収納箱を提供することにある。  
【課題を解決するための手段】
【０００６】
上記課題を解決するために本発明は、（１）非常用品を収納するための箱であって、前面に開口を有した箱体と、前記箱体にヒンジを介して取り付けられ、前記開口を開閉自在な扉と、前記扉の裏面に設けられており、閉扉状態において前記箱体に設けられた固定片に係合するロック位置および係合しないロック解除位置の間を移動可能なロック部材と、閉扉状態において外部から脆弱部材を介して操作可能であって当該ロック部材を当該ロック位置から当該ロック解除位置まで移動させ得るロック解除部材とを有したロック機構と、前記ロック解除部材に接続されていると共に前記ロック解除部材を作動可能な第１のリンク腕と、当該第１のリンク腕に連結されていると共に前記ロック部材を前記ロック解除位置から前記ロック位置まで移動させ得る第２のリンク腕とからなるリンク機構と、前記第２のリンク腕と接続されており、差し込まれた鍵の旋回に基づいて前記リンク機構を作動可能な錠と、を含んだことを特徴とする非常用品収納箱を提供するものである。
【０００７】
また本発明は、上記構成において、（２）ファイル形の収容部材に収められた非常用品をその収納スペースに備えたことを特徴とする非常用品収納箱を提供するものである。
【０００８】
また本発明は、上記構成（２）において、（３）前記非常用品の手前側に、当該非常用品を使用するにあたっての諸注意が記載されたシートを設けたことを特徴とする非常用品収納箱を提供するものである。
【０００９】
また本発明は、上記構成において、（４）前記箱体と前記扉との間に、弾性部材の復元力を利用して前記扉を略閉扉状態まで閉扉させる自動閉扉装置を設けたことを特徴とする非常用品収納箱を提供するものである。
なお、ここでの略閉扉状態とは、完全閉扉状態の手前まで閉扉している状態を指す。
【発明の効果】
【００１０】
本発明によれば、閉扉状態を保持するロック機構におけるロック解除部材が、脆弱部材を介して外部から操作するようになっているので、脆弱部材を介している分、悪戯による開扉を躊躇させることができる一方、非常時には容易に脆弱部材を破壊して開扉することができる。
【００１１】
また、ロック部材およびロック解除部材がリンク機構によって錠と接続されているので、錠に差し込んだ鍵を旋回させることにより、脆弱部材を破壊することなくロック部材およびロック解除部材を作動させて開扉・閉扉することができ、収納物の点検や補充を容易に行うことができる。
【発明を実施するための最良の形態】
【００１２】
以下、図面を参照して本発明の好ましい一実施形態につき説明する。
図１は本発明にかかる非常用品収納箱の一例を示す斜視図、図２は非常用品収納箱の開扉状態（後述するロック解除部材の押込動作による開扉状態）を示す正面図、図３Ａはロック機構を示す正面図、図３Ｂは図３ＡにおけるＸ−Ｘ線に沿った一部側断面図、図４は非常用品のファイル形収納部材を示す図、図５Ａは緊急時におけるロック解除方法を説明するための一部側断面図、図５Ｂはロック解除時のロック板の動作を説明するための正面図、図６Ａおよび図６Ｂは鍵動作によるロック解除方法を説明するための正面図、図６Ｃは鍵動作によるロック方法を説明するための正面図である。
【００１３】
本発明にかかる非常用品収納箱１は主に、図１または図２に示す如く、前面が開いた矩形の箱体２と、箱体２にヒンジ３を介して開閉自在に接続され、箱体２の前面を閉じる扉４と、扉４に取り付けられ、閉扉状態を保持するためのロック機構５と、ロック機構５にリンク機構６を介して接続され、ロック機構５のロック／ロック解除を行うための錠７と、箱体２内に収納された非常用品８と、から構成されている。
【００１４】
ロック機構５は主に、図３Ｂに示す如く、円板状の頭部５０ａ、頭部５０ａよりも小径の軸部５０ｂ、および軸部５０ｂの中間位置に設けられた頭部５０ａと略同一径の胴体部５０ｃからなるロック解除部材５０と、軸部５０ｂを支持すると共に扉４に取り付けられたブラケット５１と、ブラケット５１に保持されていると共にロック位置およびロック解除位置の間を上下方向にスライド可能なロック板５２と、から構成されている。
【００１５】
ロック解除部材５０は、頭部５０ａ、胴体部５０ｃおよび軸部５０ｂがそれぞれ、扉４に設けられた孔４ａ、ブラケット５１に設けられたガイド筒５１ａおよびブラケット５１に設けられた軸受孔５１ｂに挿入されており、軸部５０ｂの後端に抜け止めのための止め板５３が取り付けられて、支持されている。
また、胴体部５０ｃとブラケット５１との間には圧縮ばね５４が配置されており、ロック解除部材５０は前方に向かって付勢されている。
【００１６】
扉４の孔４ａの前方には、図１に示す如く蜘蛛の巣状の溝が形成された透明の脆弱部材９が押え板１０によって取り付けられており、ロック解除部材５０が必要時以外に押し込まれないようになっている。
【００１７】
ロック板５２は、図３Ｂに示す如く、ブラケット５１に設けられたスリット孔５１ｃ，５１ｃに挿入されており、上下にスライド可能になっている。
ロック板５２は更に、図３Ａに示す如く略中央部分にロック解除部材５０の胴体部５０ｃと嵌合し得る嵌合孔５２ａを有しており、その中に胴体部５０ｃを受け入れて支持されている。
また、ロック板５２は、図３Ａに示す如く係合片５２ｂを有しており、ロック板５２が胴体部５０ｃに支持されている位置（図３に示す状態）にあると、扉４に設けられた固定片２１（図２参照）と係合し、扉４を閉扉した状態でロックし得るようになっている。
また、ロック板５２は、嵌合孔５２ａから上方へ延びる長穴５２ｃを有しており、ロック解除部材５０が後方へ摺動して嵌合孔５２ａと胴体部５０ｃとの嵌合が解除された際、頭部５０ａと胴体部５０ｃとの間の縮径部にスライドして落ち込むようになっている（図５参照）。このとき、固定片２１と係合片５２ｂとの係合が解除され、上記ロックが解除されることになる。
【００１８】
リンク機構６は、図３に示す如く、ロック機構５に接続されたリンク腕６１と、錠７に接続されるリンク腕６２と、リンク腕６１および６２を連結するリンク軸６３と、からなっている。
【００１９】
リンク腕６１は、図３Ａに示す如く、上端が二股に分岐した形状となっており、ロック機構５におけるブラケット５１と止め板５３との間に挿入されると共に、ブラケット５１から突出した軸部５０ｂの後端を挟むように配置されている。
リンク腕６１は更に、図３Ａおよび図３Ｂに示す如く上記二股の分岐点付近にスロープ６１ａが設けられており、スロープ６１ａがブラケット５１と止め板５３との間に入り込むまで移動していくと、止め板５３を介して軸部５０ｂすなわちロック解除部材５０を後方に引っ張るようになっている。なお、止め板５３は、スロープ６１ａがブラケット５１と止め板５３との間に入り込み易いように、その侵入を受ける側の角が後方に折り曲げられている。
そして、リンク腕６１の下端は、リンク腕６２の一端６２ａとリンク軸６３によって接続されている。
【００２０】
リンク腕６２は、錠７と接続されており、錠７に差し込まれた鍵の旋回と連動するようになっている。リンク腕６２は更に、鍵の旋回と連動して回転した際に他端６２ｂがロック板５２と当接し得るよう、図３Ｂに示す如くロック板５２の略真下に配置されている。
【００２１】
錠７は、図１に示す如く、扉４の前面に鍵の差込口７ａを有しており、差し込まれた鍵の旋回をリンク腕６２に伝達するようになっている。
【００２２】
図２に示す如く、箱体２の中には、例えば医療用手袋、ガーゼ、三角巾、包帯、マウスピース、アルミックシートまたは蛍光ライト等を、図４に示すファイル形収納部材８１のポケット８２内にそれぞれ収納してなる非常用品８が収納されている。
また、ポケット８２内に配置された非常用品毎に、それを用いた応急処置の方法等を記載したシート８３が、その対応ページに併せて収められている。
【００２３】
次に、上記のように構成された非常用品収納箱１の開閉方法について説明する。
まず、緊急時に扉４を開ける際は、図５Ａに示す如く、扉４の前面に設けられた脆弱部材９を指で押圧して破ると共に、圧縮ばね５４の付勢に逆らってロック解除部材５０を押す。すると、ロック板５２とロック解除部材５０における胴体部５０ｃとの嵌合が解けてロック板５２は図５Ｂに示す如く下方にスライドし、ロック板５２の係合片５２ｂと箱体２の固定片２１との係合すなわちロックが解除されて、扉４を開けることができる。
【００２４】
次に、平時の点検や補充のために扉４を開ける際は、図１に示す錠７の鍵差込口７ａに鍵を差し込み、図６Ａに示す如く鍵を矢印Ｙ方向に回す。すると、リンク機構６によって、リンク腕６１がロック解除部材５０の軸部５０ｂに対して差し込まれていき、スロープ６１ａがブラケット５１と止め板５３との間に入り込んでいく（図６Ａおよび図６Ｂ参照）。止め板５３がスロープ６１ａによってリフトすることにより、軸部５０ｂすなわちロック解除部材５０が後方に引っ張られ、緊急時と同様にロック板５２とロック解除部材５０における胴体部５０ｃとの嵌合が解除され、ロックが解除される。
【００２５】
扉４を閉めてロックする際は、錠７の鍵差込口７ａに鍵を差し込み、図６Ｃに示す如く鍵を矢印Ｚ方向に回す。すると、リンク腕６２の他端６２ｂがロック板５２の下端５２ｄに当接すると共にロック板５２を押し上げ、嵌合孔５２ａと胴体部５０ｃとが嵌合し得る位置までスライドさせる。すると、圧縮ばね５４によってロック解除部材５０が前方に移動し、胴体部５０ｃと嵌合孔５２ａとが嵌合してロック板５２が支持され、係合片５２ｂが固定片２１に係合するようになってロック状態となる。
【００２６】
上記のように構成された非常用品収納箱１によれば、ロック解除部材５０が脆弱部材９によってカバーされているため、悪戯による開扉を躊躇させることができる。そして非常時には、脆弱部材９を破ると共にロック解除部材を押し込むことにより、容易にロックを解除して非常用品を取り出すことができる。
【００２７】
また、箱体２内に収納されている非常用品８が、ファイル形収納部材８１内に整然と収容されているため、緊急時であっても必要な品を選択し易い。
【００２８】
更に、錠７とロック機構５とがリンク機構６によって接続されていることにより、鍵を差し込んで鍵を旋回させることでロック／ロック解除を自由に行うことができ、脆弱部材９を破ることなく、管理担当者等が点検や補充を自由にすることができる。
【００２９】
以上、具体例を例示しつつ本発明の実施形態について説明したが、本発明はこれらの具体例に限定されるものではない。以下、図面を参照して、本発明の変形例につき説明する。
図７は変形例における非常用品収納箱の開扉状態（ロック解除部材の押込動作による開扉状態）を示す正面図、図８Ａは別の変形例における非常用品収納箱を示す正面図、図８Ｂは別の変形例における自動閉扉装置を示す斜視図である。
【００３０】
図７に示す如く、扉４を開けた際、まず落ち着かせるための諸注意を記載したシート１１を収納物の手前に配置し、非常時の対処がより効率よく進むように構成してもよい。なお、この場合シート１１は容易に破り取れるようになっている。
【００３１】
また、図８Ａに示す如く、ポンプ制御盤等、建屋内の設備に常設されたボックスに非常用品収納箱を併設してもよい。このとき、扉４’は一般的に重いものであるため、扉４’が大きく開いたままであると緊急避難時等に邪魔になる可能性がある。そのような場合には、図８Ｂに示す如く、箱体２’にケーブル１３を繋ぎ、それを巻き取るゼンマイ式のケーブル巻取装置１２を扉４’に備え付け、扉４’が開扉状態からある程度閉じる位置まで自動で閉扉するように構成してもよい。なお、ケーブルとケーブル巻取装置に換えて、ヒンジ部に捩りばねを設けて構成してもよい。
【００３２】
また、上記実施形態では主に応急手当品を収納していたが、非常時に使用するものであれば何でもよく、催涙スプレー等の防犯具であってもよいし、消火器や防毒マスク等の防災具であってもよい。
【図面の簡単な説明】
【００３３】
【図１】本発明にかかる非常用品収納箱の一例を示す斜視図である。
【図２】非常用品収納箱の開扉状態を示す正面図である。
【図３】ロック機構を示す（Ａ）正面図、（Ｂ）正面図におけるＸ−Ｘ線に沿った一部側断面図である。
【図４】非常用品のファイル形収納部材を示す図である。
【図５】（Ａ）緊急時におけるロック解除方法を説明するための一部側断面図、（Ｂ）ロック解除時のロック板の動作を説明するための正面図である。
【図６】鍵動作によるロック解除方法を説明するための（Ａ）正面図および（Ｂ）一部側断面図、（Ｃ）鍵動作によるロック方法を説明するための正面図である。
【図７】変形例を示す正面図である。
【図８】別の変形例を示す（Ａ）正面図および（Ｂ）斜視図である。
【符号の説明】
【００３４】
４  扉
５  ロック機構
６  リンク機構
７  錠
９  脆弱部材
５０  ロック解除部材
５２  ロック部材
【図１】
2007137503.tif 000003
【図２】
2007137503.tif 000004
【図３】
2007137503.tif 000005
【図４】
2007137503.tif 000006
【図５】
2007137503.tif 000007
【図６】
2007137503.tif 000008
【図７】
2007137503.tif 000009
【図８】
2007137503.tif 000010